(57)【要約】  組合せ計量から排出までの処理を効率よく実施することが可能な組合せ計量装置およびこれを備えた製袋包装システムを提供するために、組合せ計量装置（１０）では、制御部（５０）が、組合せ計量の結果に基づいて選択された計量済みの被計量物が貯留されている容器（Ｃ）の姿勢を傾けて、容器（Ｃ）内の被計量物の一部あるいは全部を容器（Ｃ）からその近傍に配置された容器（Ｃ）に対して排出するように容器入替機構（２０）を制御する。【特許請求の範囲】
【請求項１】
被計量物が投入される複数の容器を同一平面内において搬送する搬送部と、
前記容器の姿勢を上下方向において回転させて、前記容器に投入された前記被計量物を近接する所定の前記容器に対して供給する回転機構と、
前記被計量物の計量結果に基づいて前記回転機構において回転させる前記容器を選択し、前記回転機構における前記容器の回転制御を行う制御部と、
を備えている組合せ計量装置。
【請求項２】
前記制御部は、前記複数の容器に含まれる特定の１つの容器に対して前記被計量物をまとめるように前記回転機構の制御を行う、
請求項１に記載の組合せ計量装置。
【請求項３】
前記搬送部において搬送される前記複数の容器の順番を入れ替える順番入替機構をさらに備えている、
請求項１または２に記載の組合せ計量装置。
【請求項４】
前記搬送部は、前記複数の容器を循環させる循環経路を形成している、
請求項１から３のいずれか１項に記載の組合せ計量装置。
【請求項５】
前記搬送部によって形成される前記循環経路は、複数形成されている、
請求項４に記載の組合せ計量装置。
【請求項６】
前記複数の循環経路は、異なる搬送速度によって前記複数の容器を搬送する、
請求項５に記載の組合せ計量装置。
【請求項７】
前記複数の循環経路は、上下方向に並んで配置されている、
請求項５または６に記載の組合せ計量装置。
【請求項８】
被計量物が投入される複数の容器を搬送する搬送部と、
前記被計量物の計量結果に基づいて所定の前記容器の姿勢を傾け、他の前記容器に対して前記被計量物の一部または全部を分配する分配機構と、
前記被計量物の計量結果に基づいて姿勢を傾ける前記容器を選定する制御部と、
を備えている組合せ計量装置。
【請求項９】
前記制御部は、前記被計量物の計量結果が所定範囲外である前記被計量物が入れられた前記容器を特定し、この容器から前記被計量物を分配するように前記分配機構を制御する、
請求項８に記載の組合せ計量装置。
【請求項１０】
前記容器を略鉛直平面内において移動させて前記容器の順番を入れ替える順番入替機構をさらに備えている、
請求項８または９に記載の組合せ計量装置。
【請求項１１】
前記順番入替機構は、前記容器を略鉛直平面内において移動させる、
請求項１０に記載の組合せ計量装置。
【請求項１２】
前記搬送部は、前記複数の容器を循環経路に沿って移動させる、
請求項８から１１のいずれか１項に記載の組合せ計量装置。
【請求項１３】
前記制御部は、前記被計量物が分配される前記容器に入れられている前記被計量物の計量結果を考慮して、前記被計量物の分配時における前記容器の傾きを調整するように前記分配機構を制御する、
請求項８から１２のいずれか１項に記載の組合せ計量装置。
【請求項１４】
前記分配機構は、前記他の容器に対して分配される前記被計量物を、略鉛直平面内において移動させて分配する、
請求項８から１３のいずれか１項に記載の組合せ計量装置。
【請求項１５】
請求項１から１４のいずれか１項に記載の組合せ計量装置と、
前記搬送部によって形成される前記容器の循環経路の下方に配置されており、前記容器から排出される前記被計量物を集合させる集合シュートと、
前記集合シュートに対して排出された前記被計量物の包装を行う包装部と、
を備えている製袋包装システム。
【請求項１６】
前記組合せ計量装置を上下方向に複数段備えており、
上下方向に複数段配置された前記組合せ計量装置間において、前記被計量物の受け渡しを行う、
請求項１５に記載の製袋包装システム。
【請求項１７】
請求項１から１４のいずれか１項に記載の組合せ計量装置を上下方向に複数段備えており、
上下方向に複数段配置された前記組合せ計量装置間において、前記被計量物の受け渡しを行う、組合せ計量システム。
【発明の詳細な説明】
【技術分野】
【０００１】
本発明は、複数の容器に貯留された被計量物の計量結果に基づいて、組合せ計量を行う組合せ計量装置およびこれを備えた製袋包装システム、組合せ計量システムに関する。
【背景技術】
【０００２】
従来より、複数の容器を搬送しながら計量を行い、計量結果に基づいて組合せ計量に参加する容器を選択して、その容器から被計量物を排出する組合せ計量装置が用いられている。【０００３】
例えば、特許文献１には、垂直平面内おいて形成された循環経路に沿って移動する複数の容器に入れられた被計量物の重量を測定し、組合せ計量において非選択となった容器から物品を移載して再度組合せ計量に参加させることで、組み合わせの成功率を高めることが可能な組合せ計量装置が開示されている。
【特許文献１】特開２００３−２７００３１号公報（平成１５年９月２５日公開）
【発明の開示】
【０００４】
しかしながら、上記従来の組合せ計量装置では、以下に示すような問題点を有している。
【０００５】
すなわち、上記公報に開示された組合せ計量装置では、特定の容器に対して物品を集合させるのではなく、循環経路の内側に設けられた中央のストック用の容器に対して物品を移し替えているだけであるため、非選択となった容器を再度組合せ計量に参加させるまでの時間を短縮できるという利点を有するものの、排出時における容器の反転回数は複数のままであることから、組合せ計量から排出までの処理を効率よく行うことができるとは言い難い。
【０００６】
また、組合せ計量に参加可能な重量範囲外の被計量物については、別の容器に被計量物を移し替えられたとしても、その被計量物を組合せ計量に参加させることはできないため、組合せ計量に参加不能な被計量物を減らすことができない。
【０００７】
本発明の課題は、組合せ計量から排出までの処理を効率よく実施することが可能な組合せ計量装置およびこれを備えた製袋包装システム、組合せ計量システムを提供することにある。
【０００８】
第１の発明に係る組合せ計量装置は、搬送部と、回転機構と、制御部と、を備えている。搬送部は、被計量物が投入された複数の容器を同一平面内において搬送する。回転機構は、容器の姿勢を上下方向において回転させて、容器に入れられた被計量物を近接する所定の容器に対して供給する。制御部は、被計量物の計量結果に基づいて回転機構において回転させる容器を選択し、回転機構における容器の回転制御を行う。
【０００９】
ここでは、複数の容器を搬送しながら容器に投入された被計量物の計量結果に基づいて、制御部が、所定の容器に対して被計量物を集合させるように回転機構の制御を行う。
【００１０】
ここで、搬送部において搬送されるとともに回転機構によって回転される複数の容器は、上部に開口を有するコップ形状のものを用いることができる。この場合、容器の姿勢を上下方向に回転させると、容器内に貯留されていた被計量物は、容器外へ排出される。
【００１１】
これにより、例えば、回転機構が、制御部によって計量結果に基づいて選択された回転させる容器を、隣接して搬送される容器上において回転させることで、搬送中に所定の容器に対して被計量物を集合させることができる。よって、組合せ計量に参加可能な所定の重量範囲外の被計量物を貯留しており組合せ計量に参加できない容器Ｃが存在する場合でも、一部あるいは全部の被計量物の他の容器への移し替えによって貯留している被計量物の量を調整することができる。この結果、組合せ計量に参加不能な容器Ｃの数を減らして、常にほぼ全ての容器Ｃが組合せ計量に参加可能な状態として、組合せ計量の効率を向上させることができる。
【００１２】
また、上記のような回転制御を繰り返し行うことで、特定の容器に対して組合せ計量に参加する所定重量範囲内の被計量物を集合させることができる。この結果、下流側に配置された包装機等に対して特定の容器からの排出によって組合せ計量に参加した被計量物の排出を完了させることで処理を効率化できる。
【００１３】
なお、被計量物の計量結果に関しては、組合せ計量装置に搭載された計量部における計量結果として取得してもよいし、別途独立して設けられた計量装置から計量結果を受信して取得してもよい。
【００１４】
第２の発明に係る組合せ計量装置は、第１の発明に係る組合せ計量装置であって、制御部は、複数の容器に含まれる特定の１つの容器に対して被計量物をまとめるように回転機構の制御を行う。
【００１５】
ここでは、組合せ計量において選択された複数の容器から１つの特定の容器に対して被計量物を集合させる。
【００１６】
これにより、組合せ計量に参加する被計量物を１つの容器に集合させた後、その容器だけを回転させることによって排出できるため、さらに効率よく組合せ計量から排出までの処理を実施することができる。
【００１７】
第３の発明に係る組合せ計量装置は、第１または第２の発明に係る組合せ計量装置であって、搬送部において搬送される複数の容器の順番を入れ替える順番入替機構をさらに備えている。
【００１８】
ここでは、回転機構によって特定の容器に対して被計量物を集合させる際に、容器の順番の入れ替えも併せて行う。
【００１９】
これにより、被計量物を集合させる特定の容器に対して組合せ計量において選択された容器が離れている場合でも、容器を回転させて被計量物を移動させることなく、その容器を特定の容器の隣まで移動させることができる。この結果、さらに効率よく特定の容器に対して被計量物を集合させることができるため、より効果的に処理の効率化が図れる。
【００２０】
第４の発明に係る組合せ計量装置は、第１から第３の発明のいずれか１つに係る組合せ計量装置であって、搬送部は、複数の容器を循環させる循環経路を形成している。
【００２１】
ここでは、搬送される複数の容器を組合せ計量装置内において循環させる。
【００２２】
これにより、所定数の容器を循環移動させながら、被計量物の供給、計量、ストック、排出までの処理を行うことができるため、処理を高速化できる。さらに、容器を循環させることにより、組合せ計量装置内において使用される容器の数を減らすことができる。
【００２３】
第５の発明に係る組合せ計量装置は、第４の発明に係る組合せ計量装置であって、搬送部によって形成される循環経路は、複数形成されている。
【００２４】
ここでは、組合せ計量装置内において形成された循環経路が複数設けられている。
【００２５】
これにより、複数の循環経路においてそれぞれ特定の容器に対して被計量物を集合させることで、さらに効率よく組合せ計量から排出までの処理を行うことができる。
【００２６】
第６の発明に係る組合せ計量装置は、第５の発明に係る組合せ計量装置であって、複数の循環経路は、異なる搬送速度によって複数の容器を搬送する。
【００２７】
ここでは、組合せ計量装置内に形成された複数の容器の循環経路において、それぞれの経路における搬送速度に差を設けている。
【００２８】
これにより、互いに異なる搬送速度によって容器の搬送を行う循環経路を隣接して配置することで、順番入替機構による容器の入れ替えよりも効率よく特定の容器に対して被計量物を集合させることができる。
【００２９】
第７の発明に係る組合せ計量装置は、第５または第６の発明に係る組合せ計量装置であって、複数の循環経路は、上下方向に並んで配置されている。
【００３０】
ここでは、組合せ計量装置内において複数形成された循環経路を、上下方向に並べて配置している。
【００３１】
これにより、複数の循環経路に沿って搬送される容器のうち、被計量物を集合させる特定の容器の上部に位置したタイミングで容器を回転させることで、特定の容器に対する被計量物の集合を効率よく行うことができる。また、上下方向に並べて配置された複数の循環経路については、異なる搬送速度で、あるいは互いに反対方向に容器の搬送を行うことで、さらに効率よく特定の容器に対して被計量物を集合させることができる。
【００３２】
第８の発明に係る組合せ計量装置は、搬送部と、分配機構と、制御部と、を備えている。搬送部は、被計量物が投入される複数の容器を搬送する。分配機構は、被計量物の計量結果に基づいて所定の容器の姿勢を傾けて、他の容器に対して被計量物の一部または全部を分配する。制御部は、被計量物の計量結果に基づいて姿勢を傾ける容器を選定する。
【００３３】
ここでは、複数の容器を搬送しながらその中に貯留された被計量物の計量結果に基づいて組合せ計量を行う組合せ計量装置において、上記計量結果に基づいて選択された容器の姿勢を所定量だけ傾けて、容器内の被計量物の一部あるいは全部を、近接する他の容器に対して分配するように分配機構を制御する。
【００３４】
具体的には、所定の重量範囲を超える多量の被計量物が貯留されている容器については、近接する容器のうち、比較的被計量物が貯留されている量が少ない容器に対して被計量物を分配するように制御する。あるいは、所定の重量範囲に満たない少量の被計量物が貯留されている容器については、近接する容器のうち、比較的被計量物が貯留されている量が少ない容器に対してその全ての被計量物を移し替えるように制御する。
【００３５】
これにより、例えば、各容器に貯留された被計量物の計量結果が組合せ計量に参加可能な所定の重量範囲を超えているあるいは下回っている場合でも、他の容器に対してその重量範囲外の被計量物の一部あるいは全部を移し替えることで、全ての容器が組合せ計量に参加可能な状態にすることができる。この結果、組合せ計量において参加不能な被計量物の数を減らして、組合せ計量に参加可能な被計量物の数を常に多く確保することで、組合せ計量を効率よく実施することができる。
【００３６】
なお、被計量物の計量結果に関しては、組合せ計量装置に搭載された計量部における計量結果として取得してもよいし、別途独立して設けられた計量装置から計量結果を受信して取得してもよい。
【００３７】
第９の発明に係る組合せ計量装置は、第８の発明に係る組合せ計量装置であって、制御部は、被計量物の計量結果が所定範囲外である被計量物が入れられた容器を特定し、この容器から被計量物を分配するように分配機構を制御する。
【００３８】
ここでは、被計量物の投入量が多過ぎて、あるいは少な過ぎて組合せ計量に参加できない容器を特定し、この容器から他の容器に対して被計量物の一部あるいは全部を分配する。あるいは、被計量物を入れ過ぎた容器の数が多い場合には、特定の容器から被計量物を排出してからの容器とし、この容器に対して他の容器から入れ過ぎの被計量物を分配するようにすることもできる。
【００３９】
これにより、組合せ計量に参加不能な被計量物の数を減らして、効率よく組合せ計量を実施することができる。
【００４０】
第１０の発明に係る組合せ計量装置は、第８または第９の発明に係る組合せ計量装置であって、容器を略鉛直平面内において移動させて容器の順番を入れ替える順番入替機構をさらに備えている。
【００４１】
ここでは、近接する他の容器に対して被計量物の一部または全部を移し替える分配機構を備えた組合せ計量装置において、さらに容器の配置順を入れ替える順番入替機構を備えている。
【００４２】
これにより、例えば、所定の重量範囲外の被計量物を、近接して搬送される他の容器に対して移し替える際に、被計量物の一部あるいは全部を投入する先の容器を、効率よく投入元の容器に隣接する位置に移動させることができる。
【００４３】
第１１の発明に係る組合せ計量装置は、第１０の発明に係る組合せ計量装置であって、順番入替機構は、容器を略鉛直平面内において移動させる。
【００４４】
ここでは、略鉛直平面に沿って容器の順番の入れ替えを行う。
【００４５】
これにより、容器の順番を入れ替える処理に連動して、容器の姿勢を傾けることで、容器の順番の入れ替えと同時に被計量物の移し替えを行うことができる。この結果、所定の重量範囲外の被計量物が貯留された容器から効率よく近接する他の容器に対して被計量物の一部または全部を移し変えることができるため、組合せ計量に参加可能な被計量物の数を増やすための処理をさらに効率化することができる。
【００４６】
第１２の発明に係る組合せ計量装置は、第８から第１１の発明のいずれか１つに係る組合せ計量装置であって、搬送部は、複数の容器を循環経路に沿って移動させる。
【００４７】
ここでは、組合せ計量に参加するための被計量物を貯留している複数の容器を循環経路に沿って移動させている。
【００４８】
これにより、容器内に貯留されている被計量物の重量が所定の範囲外である場合でも、循環中にその容器から他の容器に対して被計量物の一部等を移し変えることで、組合せ計量に参加する被計量物の数を減らすことなく、効率のよい組合せ計量を実施することができる。
【００４９】
第１３の発明に係る組合せ計量装置は、第８から第１２の発明のいずれか１つに係る組合せ計量装置であって、制御部は、被計量物が分配される容器に入れられている被計量物の計量結果を考慮して、被計量物の分配時における容器の傾きを調整するように分配機構を制御する。
【００５０】
ここでは、制御部によって分配対象として選択された被計量物の分配（移し替え）の程度を、被計量物の計量結果に基づいて調整する。
【００５１】
これにより、分配元である容器と分配先となる容器とでそれぞれ貯留される被計量物が、ともに組合せ計量に参加可能な所定重量範囲内になるように被計量物の一部等を移し替えることができる。
【００５２】
第１４の発明に係る組合せ計量装置は、第８から第１３の発明のいずれか１つに係る組合せ計量装置であって、分配機構は、他の容器に対して分配される被計量物を、略鉛直平面内において移動させて分配する。
【００５３】
ここでは、ある容器から他の容器に対して被計量物の分配を行う際に、容器内に貯留された被計量物を略鉛直平面内において移動させる。
【００５４】
これにより、例えば、分配機構によって容器を上下反転させることで、容器から排出された被計量物を自由落下あるいは強制落下によって近接する他の容器に対して投入することができる。
【００５５】
第１５の発明に係る製袋包装システムは、第１から第１４の発明のいずれか１つに係る組合せ計量装置と、搬送部によって形成される容器の循環経路の下方に配置されており、容器から排出される被計量物を集合させる集合シュートと、集合シュートに対して排出された被計量物の包装を行う包装部と、を備えている。
【００５６】
ここでは、回転機構によって特定の容器に対して被計量物を集合させた後、集合シュートに対して被計量物を排出し、これを包装部において包装する。
【００５７】
これにより、組合せ計量から排出、包装までの処理を効率よく行うことが可能な製袋包装システムを得ることができる。
【図面の簡単な説明】
【００５８】
【図１】本発明の一実施形態に係る搬送装置を搭載した組合せ計量装置の全体の構成を示す平面図。
【図２】図１の組合せ計量装置に含まれる計量器と容器入替機構との位置関係を示す平面図。
【図３】図２の計量器において支持されている容器を示す側面図。
【図４】図１の組合せ計量装置に含まれており、容器の順番の入れ替え、被計量物の分配、排出等を行う容器入替機構において容器を支持した状態を示す正面図。
【図５】（ａ）および（ｂ）は、図３の容器入替機構によって容器ごと移動する支持機構の構成を示す側面図と正面図。
【図６】図１の組合せ計量装置において容器の順番の入れ替え、被計量物の分配、排出等を行う容器入替機構の構成を示す正面図。
【図７】図１の組合せ計量装置が備えている制御ブロックを示すブロック図。
【図８】（ａ）〜（ｅ）は、図４および図６に示す容器入替機構によって容器の順番を入れ替える際の動作の流れを示す正面図。
【図９】（ａ）〜（ｅ）は、図４および図６に示す容器入替機構によって容器の順番を入れ替える際の動作の流れを示す正面図。
【図１０】（ａ）〜（ｄ）は、図４および図６に示す容器入替機構によって隣接する容器に対して被計量物を分配する際の動作の流れを示す正面図。
【図１１】（ａ）〜（ｅ）は、図４および図６に示す容器入替機構によって容器から被計量物を排出する際の動作の流れを示す正面図。
【図１２】図４および図６に示す容器入替機構に含まれる容器の姿勢を上下反転させるための機構を示す側面図。
【図１３】本発明の他の実施形態に係る組合せ計量装置を搭載した製袋包装システムの構成を示す斜視図。
【図１４】本発明のさらに他の実施形態に係る組合せ計量装置を複数搭載した組合せ計量システムの構成を示す斜視図。
【図１５】図１４に示すＡ方向から見た組合せ計量システムの正面図。
【図１６】図１４に示すＢ方向から見た組合せ計量システムの側面図。
【図１７】図１４に示す組合せ計量システムの平面図。
【図１８】（ａ）は、本発明のさらに他の実施形態に係る組合せ計量システムを搭載した製袋包装システムを示す平面図。（ｂ）は、その正面図。
【符号の説明】
【００５９】
１０      組合せ計量装置
１０ａ〜１０ｄ  組合せ計量装置
１１      回転部（搬送部）
１２      供給部
１３      計量部
２０      容器入替機構（順番入替機構、回転機構、分配機構）
２０ａ    回転駆動部
２０ｂ    回転駆動部
２０ｃ    回転駆動部
２１      引っ掛け部材
２１ａ    円弧部
２１ａｂ  磁石
２２      回転軸
２３      回転駆動部
２４      支持機構（支持部材）
２４ａ    容器支持部
２４ｂ    開口部
２４ｃ    被支持部
２４ｃａ  磁石
２４ｄ    容器回転ギア
２５      計量器
２５ａ    ロードセル
２６      記憶部
３０      伝達機構
３０ａ    ギア
３０ｃ    ギア
３１ａ    ギア
３１ｂ    ギア
３２ａ    ギア
３２ｂ    ギア
３３ａ    反転ギア
３３ｂ    反転ギア
５０      制御部（制御部、組合せ演算部）
１００    製袋包装システム
１０１    集合シュート
１０２    製袋包装機
２００    組合せ計量システム
２０１    土台部
２０２    支柱
２０３    供給部
２０４    投入シュート
２１０    組合せ計量システム
２１０ａ〜２１０ｄ  組合せ計量装置
２１１    排出シュート
２２０    製袋包装機
３００    製袋包装システム
Ｃ      容器
Ｃ１    つば部分
Ｆ      フィルム
Ｚ      ゾーン
【発明を実施するための最良の形態】
【００６０】
本発明の一実施形態に係る搬送装置を搭載した組合せ計量装置について、図１〜図１２を用いて説明すれば以下の通りである。【００６１】
［組合せ計量装置１０全体の構成］
本実施形態に係る組合せ計量装置１０は、図１に示すように、回転部（搬送部）１１に対して固定配置された複数の計量器２５に載置された容器Ｃを旋回移動させながら各計量器２５において計量を行う組合せ計量装置である。そして、組合せ計量装置１０では、各計量器２５における計量結果に基づいて、制御部（制御部、組合せ演算部）５０（図７参照）が組合せ計量の演算を行って所望の容器Ｃを選択して容器Ｃから被計量物を排出させることで組合せ計量を行う。また、組合せ計量装置１０は、回転部１１と、供給部１２と、計量部１３と、容器入替機構（順番入替機構、回転機構、分配機構）２０と、制御部５０（図７参照）とを備えている。【００６２】
回転部１１は、円形の板状部材であって、回転駆動部２３（図７参照）によって円形の板状部材の中心を回転軸として、略水平面内において計量部１３や容器入替機構２０等を旋回移動させることにより略水平面内において容器Ｃの循環経路を形成する。【００６３】
供給部１２は、後述する供給・計量ゾーンＺ１において、回転中の容器Ｃに対して被計量物を投入する。なお、供給部１２としては、例えば、コンベアや振動フィーダ等の供給装置を用いることができる。【００６４】
計量部１３は、後述する複数の容器入替機構２０の間のスペースに配置された計量器２５を複数有しており、後述する供給・計量ゾーンＺ１において、供給部１２によって容器Ｃに投入された被計量物の重量を測定する。なお、計量器２５は、容器Ｃの支持部分に載置された容器Ｃの重量を測定するロードセル２５ａ（図２および図３参照）である。【００６５】
容器入替機構２０は、図１等に示すように、各計量器２５（容器Ｃ）の間のスペースに配置されており、後述するストック・入れ替えゾーンＺ２において、引っ掛け部材２１（図４等参照）を略鉛直面内において回転させることにより、互いに隣り合う２個の容器Ｃの順番を略鉛直平面に沿って移動させて入れ替える。また、容器入替機構２０は、後述する排出ゾーンＺ３において、組合せ計量の演算によって選択された容器Ｃを上下反転させて被計量物を排出する。このとき、被計量物を排出する容器Ｃは、組合せ計量において選択された被計量物が容器入替機構２０によって集合されている。このため、その選択された容器Ｃの固まりが排出ゾーンＺ３に移動してきた場合に、その複数の容器Ｃを回転させて被計量物を連続的に排出するだけで、組合せ計量によって選択された被計量物を下流側へ排出することができる。なお、この容器入替機構２０の詳しい構成、および容器の順番の入れ替え、１つの容器Ｃに対する被計量物の集合、被計量物の排出については、後段にて詳述する。【００６６】
制御部５０は、図７に示すように、供給部１２と、計量部１３と、容器入替機構２０と、回転駆動部２３と、記憶部２６と接続されており、記憶部２６に格納されている各種プログラムに従って各部の動作を制御する。ここで、記憶部２６には、組合せ計量において選択された容器Ｃの回転部１１における相対的な位置が記憶される。このため、制御部５０では、記憶部２６に記憶されている所望の容器Ｃの位置を確認しながら選択された容器Ｃが１つの固まりになるように所望の容器入替機構２０の動作を制御する。【００６７】
また、本実施形態の組合せ計量装置１０では、容器Ｃに対する被計量物の供給、被計量物の計量、容器Ｃの順番の並び替え、容器Ｃから被計量物の排出といった各工程を、回転部１１によって複数の容器Ｃを回転させながら行う。より詳細には、組合せ計量装置１０では、図１に示すように、供給・計量ゾーンＺ１、ストック・並び替えゾーンＺ２および排出ゾーンＺ３という３つの領域が形成される。つまり、被計量物が供給されていない空の状態で供給・計量ゾーンＺ１へ移動してきた容器Ｃは、供給・計量ゾーンＺ１において供給部１２から所定の量の被計量物が投入され、各計量器２５によって計量される。このとき、計量器２５では、事前に容器Ｃが空の状態の重量を計量しているため、被計量物が投入された後の重量値から空の容器の重量値を引き算することで、容器Ｃに投入された被計量物の重量を算出することができる。制御部５０（図７参照）では、以上のようにして算出された被計量物の計量値を用いて組合せ計量の演算を行う。次に、ストック・並び替えゾーンＺ２に移動してきた容器Ｃは、制御部５０における複数の被計量物の重量値を用いた組合せ計量の演算の結果、選択された複数の容器Ｃが連続した並びになるように、容器入替機構２０によってその配置順が入れ替えられる。ストック・並び替えゾーンＺ２において、容器入替機構２０によって並び替えが完了した容器Ｃは、排出ゾーンＺ３に移動して容器入替機構２０によって回転させられて、その配置順に被計量物を排出する。【００６８】
以上のように、容器Ｃから排出された被計量物は、下流側に配置された図示しない製袋包装機等に対して供給され、所定の重量範囲内になるように梱包される。【００６９】
［容器入替機構２０の構成］
容器入替機構２０は、互いに隣接する位置に配置された２つの容器Ｃの位置を入れ替える順番入替機構（図８および図９参照）、隣の容器Ｃに対して被計量物の一部あるいは全部を分配する分配機構（図１０参照）、容器Ｃ内の被計量物を排出する排出機構（図１１参照）としての機能を兼ね備えている。また、容器入替機構２０は、図１等に示すように、計量器２５の間のスペースに設けられており、回転部１１による回転駆動によって容器Ｃとともに旋回移動する。そして、容器入替機構２０は、図４および図６に示すように、略鉛直方向に沿って配置された３つの回転駆動部２０ａ〜２０ｃと、回転駆動部２０ｂによって回転駆動される引っ掛け部材２１と、引っ掛け部材２１の回転中心となる回転軸２２と、回転軸２２の回転を伝達する伝達機構３０と、を備えている。【００７０】
回転駆動部２０ａは、図６に示すように、ギア３０ａを回転させ、ギア３０ａに噛み合ったギア３１ａを回転駆動することで、ギア３２ａを介して反転ギア３３ａを回転させる。ここで、反転ギア３３ａは、支持機構（支持部材）２４に含まれる容器回転ギア２４ｄと噛み合っている。このため、反転ギア３３ａを回転させることにより、引っ掛け部材２１の図中左側において支持された容器Ｃを回転させることが可能になる。つまり、回転駆動部２０ａを駆動することにより、引っ掛け部材２１の一方の側において支持された容器Ｃの姿勢を上下反転させたり、所望の角度だけ回転させたりすることができる。【００７１】
回転駆動部２０ｂは、図６に示すように、引っ掛け部材２１の回転中心となる回転軸２２を回転駆動することで、引っ掛け部材２１を略鉛直方向において回転させる。【００７２】
回転駆動部２０ｃは、図６に示すように、ギア３０ｃを回転させ、ギア３０ｃに噛み合ったギア３１ｂを回転駆動することで、ギア３２ｂを介して反転ギア３３ｂを回転させる。ここで、反転ギア３３ｂは、反転ギア３３ａと同様に、支持機構２４に含まれる容器回転ギア２４ｄと噛み合っている。このため、反転ギア３３ｂを回転させることにより、引っ掛け部材２１の図中右側において支持された容器Ｃを回転させることが可能になる。つまり、回転駆動部２０ｃを駆動することにより、引っ掛け部材２１の他方の側において支持された容器Ｃの姿勢を上下反転させたり、所望の角度だけ回転させたりすることができる。【００７３】
本実施形態の組合せ計量装置１０では、これらの回転駆動部２０ａ〜２０ｃによる回転駆動を適切に制御することにより、引っ掛け部材２１の両端に支持された容器Ｃの順番の入れ替えや、その中に貯留されている被計量物の分配、排出等を行うことができる。なお、この回転駆動部２０ａ〜２０ｃを用いた容器Ｃの順番入替、回転、回転制御については、後段にて詳述する。【００７４】
引っ掛け部材２１は、その両端部分に容器Ｃを保持して搬送するために形成された円弧部２１ａと、円弧部２１ａにおいて容器Ｃを保持するための磁石２１ａｂと、を有している。円弧部２１ａは、容器Ｃを支持する支持機構２４の被支持部２４ｃを上下方向から引っ掛けるようにしてその両端において２つの容器Ｃを保持する。磁石２１ａｂは、円弧部２１ａの近傍に取り付けられており、支持機構２４に含まれる磁石２４ｃａとの間において互いを引き付け合う。【００７５】
回転軸２２は、図４および図６に示すように、回転駆動部２０ｂの回転軸として配置されており、引っ掛け部材２１の中心部分と接続されている。そして、回転駆動部２０ｂからの回転駆動力を受けて引っ掛け部材２１を略鉛直方向において回転させる。【００７６】
（伝達機構３０の構成）
伝達機構３０は、複数のギアを組み合わせて構成されており、回転駆動部２０ａ，２０ｃにおける回転駆動力を引っ掛け部材２１において支持されている支持機構２４の容器回転ギア２４ｄ（容器Ｃ）に対して伝達する。具体的には、伝達機構３０は、図６に示すように、ギア３０ａ，３０ｃ、ギア３１ａ，３１ｂ、ギア３２ａ，３２ｂおよび反転ギア３３ａ，３３ｂを有している。【００７７】
ギア３０ａ，３０ｃは、それぞれ回転駆動部２０ａ、２０ｃの回転軸に対して取り付けられている。【００７８】
ギア３１ａ，３１ｂは、ギア３０ａ，３０ｃとそれぞれ噛み合っており、回転駆動部２０ａ，２０ｃの回転駆動力をギア３２ａ，３２ｂに対して伝達する。【００７９】
ギア３２ａ，３２ｂは、互いに隣接するように同軸で配置された同じ大きさの回転ギアであって、ギア３１ａ，３１ｂとそれぞれ噛み合っている。そして、ギア３２ａ，３２ｂは、ギア３１ａ，３１ｂから伝達される回転駆動力を、図中左側の反転ギア３３ａ、図中右側の反転ギア３３ｂに対してそれぞれ伝達する。【００８０】
反転ギア３３ａ，３３ｂは、引っ掛け部材２１の裏面側に固定配置されたギアであって、引っ掛け部材２１が回転するとギア３２ａ，３２ｂとそれぞれ噛み合った状態のまま回転軸２２を中心として回転する。そして、反転ギア３３ａは、引っ掛け部材２１の図中左側の円弧部２１ａにおいて支持機構２４が支持されると、支持機構２４に含まれる容器回転ギア２４ｄと噛み合うようになっている。一方、反転ギア３３ｂは、引っ掛け部材２１の図中右側の円弧部２１ａにおいて支持機構２４が支持されると、支持機構２４に含まれる容器回転ギア２４ｄと噛み合うようになっている。このため、反転ギア３３ａ，３３ｂのいずれか一方を回転させることで、引っ掛け部材２１の両端に形成された円弧部２１ａにおいて支持されている支持機構２４を容器Ｃごと回転させることができる。【００８１】
［支持機構２４の構成］
支持機構２４は、図３に示すように、容器Ｃを支持するとともに、容器入替機構２０によって容器Ｃとともに引っ掛け部材２１上を移動する。そして、支持機構２４は、図５（ａ）および図５（ｂ）に示すように、容器支持部２４ａ、開口部２４ｂ、被支持部２４ｃおよび容器回転ギア２４ｄを有している。【００８２】
容器支持部２４ａは、コの字型形状の板金部材であって、容器Ｃの側面に沿って配置される。【００８３】
開口部２４ｂは、図３および図５（ａ）、図５（ｂ）に示すように、板金部材である容器支持部２４ａのコの字型形状の両側の面に形成されており、ここに容器Ｃのつば部分Ｃ１が挿入されることで容器Ｃを支持する。【００８４】
被支持部２４ｃは、支持機構２４の最も後端側に配置されており、図４に示すように、引っ掛け部材２１の円弧部２１ａによって支持される。【００８５】
容器回転ギア２４ｄは、引っ掛け部材２１において支持機構２４が支持された際に、引っ掛け部材２１の裏面側に取り付けられた反転ギア３３ａ，３３ｂのいずれか一方のギアに噛み合う。これにより、回転駆動部２０ａまたは回転駆動部２０ｃにおける回転駆動によって、容器Ｃを引っ掛け部材２１の円弧部２１ａにおいて支持された状態で、容器回転ギア２４ｄの中心を回転軸として支持機構２４ごと回転させることが可能になる。【００８６】
＜容器Ｃの入れ替え動作＞
ここで、本実施形態の組合せ計量装置１０において、制御部５０において選択された容器Ｃを所望の順番に入れ替える際の容器入替機構２０の動作および容器Ｃの動きについて、図８（ａ）〜図８（ｅ）および図９（ａ）〜図９（ｅ）を用いて説明すれば以下の通りである。【００８７】
まず、制御部５０は、供給・計量ゾーンＺ１において、各計量器２５によって計量された被計量物の重量値を各計量器２５から入手して組合せ計量の演算を行う。そして、その重量値のデータの入手が完了した時点で、ストック・並び替えゾーンＺ２において容器入替機構２０を制御して容器Ｃが所望の配置順になるように並び替えを行う。【００８８】
具体的には、制御部５０は、図８（ａ）に示すように、図中右側の引っ掛け部材２１の両端の円弧部２１ａにおいて保持している２つの容器Ｃの順番を入れ替える場合には、図８（ｂ）に示すように、略水平方向に沿った位置で初期状態となっていた隣接する図中左側の引っ掛け部材２１を、反時計回りに約４５度回転させて停止させるように容器入替機構２０を制御する。このとき、引っ掛け部材２１の回転駆動は、上述したように、引っ掛け部材２１の回転中心となる回転軸２２を駆動する回転駆動部２０ｂによって行われる。【００８９】
なお、このとき図中左右の引っ掛け部材２１の間で保持された容器Ｃは、図８（ａ）に示すように、図中左右両方の引っ掛け部材２１に取り付けられた磁石２１ａｂによって保持されている。ここで、引っ掛け部材２１を回転させる際には、図８（ｂ）に示すように、図中右側の引っ掛け部材２１側へ容器Ｃを引き渡すために、図中左側の容器入替機構２０の回転駆動部２０ａを回転させて反転ギア３３ａを時計回りに回転させて容器Ｃを支持する支持機構２４の被支持部２４ｃの部分を円弧部２１ａの中から押し出すように移動させる。これにより、磁石２１ａｂによる保持を強制的に解除して図中右側の引っ掛け部材２１の方へ容器Ｃを引き渡すことができる。【００９０】
一方、順番を入れ替える容器Ｃを両端に保持した引っ掛け部材２１については、同じく図８（ｂ）および図８（ｃ）に示すように、反時計回りに１８０度回転させるように容器入替機構２０を制御する。これにより、図８（ｄ）に示すように、容器Ｃの順番が入れ替えられる。このとき、１８０度回転させる間に容器Ｃの姿勢が上下反転するようなことがないように、制御部５０は、容器Ｃの開口側が横あるいは下向きにならないように回転駆動部２０ａ，２０ｃを制御する。詳細には、図６および図１２に示すように、上述した伝達機構３０に含まれるギア３０ａ、ギア３１ａおよびギア３２ａを介して反転ギア３３ａを回転させることで、引っ掛け部材２１の図中左側に保持された容器Ｃの姿勢を制御する。一方、伝達機構３０に含まれるギア３０ｃ、ギア３１ｂおよびギア３２ｂを介して反転ギア３３ｂを回転させることで、引っ掛け部材２１の図中右側に保持された容器Ｃの開口が横あるいは下向きにならないように姿勢を制御する。【００９１】
最後に、制御部５０は、反時計回りに４５度回転した状態で停止していた隣接する引っ掛け部材２１を、図８（ｅ）に示すように元の初期状態に戻すように容器入替機構２０を制御することで、容器Ｃの順番入替のための動作が終了する。【００９２】
なお、図９（ａ）に示すように、図中左側の引っ掛け部材２１の両端の円弧部２１ａにおいて保持されている２つの容器Ｃの順番を入れ替える場合でも、図９（ｂ）に示すように、隣接する図中右側の引っ掛け部材２１を反時計回りに約４５度回転させた後、図９（ｂ）〜図９（ｄ）に示すように、図中左側の引っ掛け部材２１を１８０度回転させた後、図９（ｅ）に示すように、図中右側の引っ掛け部材２１を初期位置に戻すように容器入替機構２０を制御することで、上記と同様にスムーズに容器Ｃの順番の入れ替え作業を完了することができる。【００９３】
以下、同様にして制御部５０によって排出の順番を指定された容器Ｃを並び替えることで、排出ゾーンＺ３に入ったときに、所望の排出順で被計量物を排出することが可能になる。【００９４】
＜隣接する容器Ｃに対する被計量物の分配動作＞
次に、本実施形態の組合せ計量装置１０において、制御部５０において選択された容器Ｃを傾けて隣接する所望の容器Ｃに対して被計量物の一部または全部を分配する際の容器入替機構２０の動作および容器Ｃの動きについて、図１０（ａ）〜図１０（ｄ）を用いて説明すれば以下の通りである。【００９５】
すなわち、制御部５０は、供給・計量ゾーンＺ１における計量結果が、組み合わせ計量に参加可能な所定の重量範囲から外れている被計量物を貯留している容器Ｃを選定し、ストック・並び替えゾーンＺ２において、これらの容器Ｃの姿勢を傾けて隣接する容器Ｃに対して被計量物の一部または全部を分配（排出）する。なお、上記組み合わせ計量に参加可能な所定の重量範囲とは、例えば、供給・計量ゾーンＺ１において供給された被計量物の量が少な過ぎた場合や、逆に多過ぎた場合等が考えられる。【００９６】
具体的には、制御部５０は、図１０（ａ）に示すように、図中右側の引っ掛け部材２１の両端の円弧部２１ａにおいて保持している２つの容器Ｃについて、図中左側の容器Ｃに貯留された被計量物の計量結果が組合せ計量に参加可能な所定の重量範囲外である場合には、以下のような動作を行うことにより、隣接する容器Ｃに対して被計量物の一部等を分配する。【００９７】
すなわち、制御部５０において、図中左側の容器Ｃ内の被計量物が所定の重量範囲外であると認識された場合には、まず、図１０（ｂ）に示すように、略水平方向に沿った位置で初期状態となっていた隣接する図中左側の引っ掛け部材２１を、反時計回りに約４５度回転させて停止させるように容器入替機構２０を制御する。なお、引っ掛け部材２１の回転駆動は、上述したように、引っ掛け部材２１の回転中心となる回転軸２２を駆動する回転駆動部２０ｂによって行われる。【００９８】
このとき、図中左右の引っ掛け部材２１の間で保持された容器Ｃは、図１０（ｂ）に示すように、図中右側の引っ掛け部材２１に取り付けられた磁石２１ａｂによって保持されている。【００９９】
一方、制御部５０は、左右両方の円弧部２１ａにおいてそれぞれ容器Ｃを保持している図中右側の引っ掛け部材２１を、図１０（ｂ）に示すように、時計回りに約４５度回転させた位置まで回転するように容器入替機構２０を制御する。これにより、隣接する容器Ｃに対して被計量物を分配する投入側の容器Ｃを高い位置へ移動させるとともに、隣接する容器Ｃから被計量物が分配される容器Ｃを投入側の容器Ｃよりも低い位置へ移動させることができる。なお、引っ掛け部材２１の回転駆動は、上述したように、引っ掛け部材２１の回転中心となる回転軸２２を駆動する回転駆動部２０ｂによって行われる。【０１００】
次に、図１０（ｂ）に示すように、投入元の容器Ｃと投入先の容器Ｃとが高い位置、低い位置へとそれぞれ移動すると、図中右側の容器入替機構２０では、回転駆動部２０ａがギア３０ａを時計回りに回転させる。すると、図６および図１２に示すギア３１ａ、ギア３２ａを介して反転ギア３３ａが反時計回りに回転し、これに噛み合っている支持機構２４の容器反転ギア２４ｃを時計回りに回転させることができる。この結果、図１０（ｃ）に示すように、この支持機構２４において支持されている容器Ｃを右側へ傾けることが可能になる。ここで、容器Ｃは上部が開口になっていることから、容器Ｃを傾けることにより中の被計量物を容器Ｃの外へと排出することができるため、容器Ｃが傾いた際に開口が向く方向に配置された隣接する容器Ｃに対して被計量物を分配することができる。【０１０１】
なお、隣の容器Ｃに対して被計量物を排出する際の容器Ｃの傾きについては、制御部５０において回転駆動部２０ａ（回転駆動部２０ｃ）の回転量によって管理されており、容器Ｃから少量の被計量物を排出する場合には容器Ｃの傾きを小さくし、反対に容器Ｃから大量（全部）の被計量物を排出する場合には容器Ｃの傾きを大きくするように制御される。これにより、投入元となる容器Ｃに貯留された被計量物が、組合せ計量に参加可能な所定の重量範囲内になるように調整することが可能になる。【０１０２】
そして、制御部５０は、図１０（ｄ）に示すように、排出時に傾けられた容器Ｃを元の状態に戻した後、右側の引っ掛け部材２１を初期位置に戻した後、左側の引っ掛け部材２１を初期状態に戻すように容器入替機構２０を制御する。【０１０３】
この後、被計量物の投入元の容器Ｃおよび投入先の容器Ｃは、再度、供給・計量ゾーンＺ１へと進み、新たに被計量物が供給されることなく、被計量物を分配後の状態でそれぞれ計量される。【０１０４】
ここで双方の容器Ｃに貯留されている被計量物が組合せ計量に参加可能な所定の重量範囲内になっている場合には、これらの容器Ｃはそのままストック・並び替えゾーンＺ２へと移動し、ここで組合せ計量に参加する容器Ｃの順番が並び替えられた後、排出ゾーンＺ３において被計量物を排出する。【０１０５】
一方、被計量物を分配後における双方あるいはいずれか一方の容器Ｃの計量結果が上記所定の重量範囲外である場合には、制御部５０は、再び容器入替機構２０を制御して２つの容器Ｃ間において被計量物の分配を行う。【０１０６】
本実施形態の組合せ計量装置１０では、以上のように、組合せ計量に参加可能な所定重量範囲外の被計量物を他の容器Ｃに対して分配する動作を１回あるいは繰り返し行うことで、組合せ計量に参加不能な容器Ｃの数を減らして効率よく組合せ計量を実施することが可能になる。【０１０７】
なお、上述した被計量物の分配動作については、組合せ計量において選択された各被計量物を貯留している容器Ｃを隣接するように並び替えた後、特定の１つの容器Ｃに対してそれらの容器Ｃに貯留された被計量物を集合させるように分配動作を行ってもよい。【０１０８】
この場合には、組合せ計量に参加する被計量物を、１回の排出動作、つまり１つの容器Ｃの上下反転によって全て排出することができるため、複数の容器Ｃから被計量物を排出する場合と比較して排出動作を効率よく実施することができる。【０１０９】
＜容器Ｃからの被計量物の排出動作＞
続いて、本実施形態の組合せ計量装置１０において、制御部５０において選択された容器Ｃを上下反転させて所望の位置で被計量物を排出する際の容器入替機構２０の動作および容器Ｃの動きについて、図１１（ａ）〜図１１（ｅ）を用いて説明すれば以下の通りである。【０１１０】
すなわち、制御部５０は、供給・計量ゾーンＺ１における計量結果に基づいて、ストック・並び替えゾーンＺ２において容器Ｃを所望の順番に入れ替えた後、排出ゾーンＺ３において容器Ｃから被計量物が排出される。【０１１１】
具体的には、制御部５０は、図１１（ａ）に示すように、図中右側の引っ掛け部材２１の両端の円弧部２１ａにおいて保持されている２つの容器Ｃのうち、図中左側の容器Ｃに組合せ計量に参加するために選択された被計量物が貯留されている場合には、排出ゾーンＺ３において図中左側の容器Ｃから被計量物を排出する。【０１１２】
すなわち、まず、図１１（ｂ）に示すように、略水平方向に沿った位置で初期状態となっていた隣接する図中左側の引っ掛け部材２１を、図中右側の円弧部２１ａにおいて容器Ｃを保持したまま反時計回りに約６０度回転させて停止させるように容器入替機構２０を制御する。なお、引っ掛け部材２１の回転駆動は、上述したように、引っ掛け部材２１の回転中心となる回転軸２２を駆動する回転駆動部２０ｂによって行われる。【０１１３】
なお、このとき図中左右の引っ掛け部材２１の間で保持された容器Ｃは、図１１（ａ）に示すように、図中左右両方の引っ掛け部材２１に取り付けられた磁石２１ａｂによって保持されている。このため、上記と同様に、引っ掛け部材２１を回転させる際には、図１１（ｂ）に示すように、図中左側の引っ掛け部材２１側へ容器Ｃを引き渡すために、図中右側の容器入替機構２０の回転駆動部２０ａを回転させて反転ギア３３ａを時計回りに回転させて容器Ｃを支持する支持機構２４の被支持部２４ｃの部分を円弧部２１ａの中から押し出すように移動させる。これにより、磁石２１ａｂによる保持を強制的に解除して図中左側の引っ掛け部材２１の方へ容器Ｃを引き渡すことができる。【０１１４】
次に、図１１（ｂ）に示すように排出元の容器Ｃが初期位置よりも高い位置へ移動すると、図中左側の容器入替機構２０では、回転駆動部２０ｃが図６および図１２に示すギア３０ｃを時計回りに回転させる。すると、ギア３１ｂ、ギア３２ｂを介して反転ギア３３ｂが反時計回りに回転し、これに噛み合っている支持機構２４の容器反転ギア２４ｄを時計回りに回転させることができる。この結果、図１１（ｃ）に示すように、この支持機構２４において支持されている容器Ｃを、開口が下を向くように上下反転させることが可能になる。このため、容器Ｃの下方に配置された図示しない集合シュート等に対して被計量物を排出することができる。また、制御部５０は、図１１（ｃ）に示す排出時には、容器Ｃの上下反転とともに、引っ掛け部材２１を時計回りに回転させるように容器入替機構２０を制御する。これにより、容器Ｃが回転した際に重力によって下方に落下する被計量物に対して鉛直下向きの力を加えることができるため、被計量物が複数の物品から構成される場合に生じ易い尾引きの発生を防止することができる。【０１１５】
なお、被計量物を隣の容器Ｃに対して排出する際の容器Ｃの上下反転については、制御部５０において回転駆動部２０ｃ（回転駆動部２０ａ）の回転量によって管理されており、容器Ｃが１５０度〜１８０度回転するように制御される。これにより、容器Ｃ内に貯留されている被計量物を外部に確実に排出することができる。【０１１６】
そして、制御部５０は、図１１（ｄ）に示すように、排出時に傾けられた容器Ｃを元の状態に戻した後、図１１（ｅ）に示すように、左右の引っ掛け部材２１を双方とも初期位置に戻すように容器入替機構２０を制御する。【０１１７】
本実施形態の組合せ計量装置１０では、以上のように、略水平面内において旋回移動している容器Ｃが所定の位置に移動してきたタイミングで容器Ｃを上下反転させることにより、所望の場所に容器Ｃに貯留されていた被計量物を排出することができる。そして、上述したように、本実施形態では、組合せ計量の結果に基づいて、組合せ計量に参加するために容器Ｃの順番が並び替えられているため、所望の被計量物を連続して所定の場所に排出することが可能になる。【０１１８】
［組合せ計量装置１０の特徴］
（１）
本実施形態の組合せ計量装置１０では、図１１（ａ）〜図１１（ｅ）に示すように、制御部５０が、組合せ計量の結果に基づいて選択された計量済みの被計量物が貯留されている容器Ｃの姿勢を容器Ｃの開口部分が下を向くように上下反転させて、容器Ｃ内の被計量物の全部を容器Ｃの中から所定の排出場所へ排出するように容器入替機構２０を制御する。【０１１９】
これにより、複数の容器Ｃを搬送しながら計量を行い、組合せ計量の結果に基づいて選択された容器Ｃについては開口が下向きになるように上下反転させるだけで容易に被計量物を排出することができる。また、図１１（ａ）〜図１１（ｅ）に示す回転動作を繰り返し行うことで、組合せ計量において選択された被計量物の排出を連続して行うことができる。【０１２０】
（２）
本実施形態の組合せ計量装置１０では、制御部５０が、組合せ計量の結果に基づいて選択された複数の被計量物を貯留しているそれぞれの容器Ｃから、特定の容器Ｃに対して被計量物を集合させるように容器入替機構２０を制御する。【０１２１】
これにより、１つの容器Ｃを上下反転させる１回の排出動作によって組合せ計量に参加した被計量物を全て排出できるため、組合せ計量における排出動作を従来よりも大幅に効率化することができる。【０１２２】
（３）
本実施形態の組合せ計量装置１０では、制御部５０が、組合せ計量において選択された複数の容器Ｃの順番を入れ替えるように容器入替機構２０を制御する。【０１２３】
これにより、組合せ計量に参加するために、駐留している被計量物を排出する複数の容器Ｃが連続するように、容器Ｃの並び替えを行うことで、上述した被計量物の分配や排出等の動作を効率よく行うことができる。【０１２４】
（４）
本実施形態の組合せ計量装置１０では、略水平面内において、複数の容器Ｃを旋回移動させて循環ループを形成している。【０１２５】
これにより、所定の個数の容器Ｃを旋回移動させながら、被計量物の供給、計量、ストック、並び替え、被計量物の分配および排出までの動作を行うことができる。【０１２６】
（５）
本実施形態の組合せ計量装置１０では、図１０（ａ）〜図１０（ｄ）に示すように、制御部５０が、組合せ計量の結果に基づいて選択された計量済みの被計量物が貯留されている容器Ｃの姿勢を傾けて、容器Ｃ内の被計量物の一部あるいは全部を容器Ｃからその近傍に配置された容器Ｃに対して分配（排出）するように容器入替機構２０を制御する。【０１２７】
これにより、例えば、容器Ｃに貯留されている量が少な過ぎて組合せ計量に参加可能な所定の重量範囲にない被計量物については、比較的被計量物の量が少ない他の容器Ｃに対して全て移し替えることができる。一方、例えば、容器Ｃに貯留されている量が多過ぎて組合せ計量に参加可能な所定の重量範囲にない被計量物については、比較的被計量物の量が少ない他の容器Ｃに対してその一部を移し替えることができる。この結果、組合せ計量に参加可能な所定の重量範囲外の被計量物を貯留しているために、組合せ計量に参加できない容器Ｃが増えて、組合せ計量の効率を低下させることを回避することができる。【０１２８】
（６）
本実施形態の組合せ計量装置１０では、制御部５０において、計量部１３における計量結果が所定の重量範囲外である場合には、この被計量物を貯留している容器Ｃを特定する。そして、この特定された容器Ｃから他の容器Ｃに対して被計量物の一部あるいは全部の分配を行う。【０１２９】
これにより、組合せ計量に参加可能な所定の重量範囲外であるために、組合せ計量に参加できない容器Ｃの数を確実に減らして、組合せ計量の効率を低下させることを回避することができる。【０１３０】
（７）
本実施形態の組合せ計量装置１０では、制御部５０が、組合せ計量において選択された複数の容器Ｃの順番を入れ替えるように容器入替機構２０を制御する。【０１３１】
これにより、組合せ計量に参加するために、貯留している被計量物を隣接する他の容器Ｃ等に対して分配する複数の容器Ｃが連続するように、容器Ｃの並び替えを行うことで、上述した被計量物の分配や排出等の動作を効率よく行うことができる。【０１３２】
（８）
本実施形態の組合せ計量装置１０では、容器入替機構２０において、複数の容器Ｃを略鉛直平面内において移動させて容器Ｃの順番の入れ替えを行う。【０１３３】
このように、略鉛直平面内において容器Ｃを移動させることで、上部に開口を有する容器Ｃ内に貯留されている被計量物の分配や排出等の動作を、容器Ｃの入れ替え動作に伴って行うことができる。よって、容器Ｃの入れ替え、被計量物の分配、排出等の動作を別々の駆動によって行うのではなく、共通の駆動系を用いて実施することができる。【０１３４】
（９）
本実施形態の組合せ計量装置１０では、複数の容器Ｃを旋回移動させる循環ループを形成している。【０１３５】
これにより、所定個数の容器Ｃを旋回移動させながら、被計量物の供給、計量、ストック、並び替え、被計量物の分配および排出までの動作を行うことができる。【０１３６】
（１０）
本実施形態の組合せ計量装置１０では、制御部５０が、計量部１３における計量結果に基づいて容器Ｃの傾きを調整するように容器入替機構２０に含まれる回転駆動部２０ａ〜２０ｃにおける回転駆動量を制御する。【０１３７】
例えば、計量結果が所定の重量範囲よりも少な過ぎる場合には、被計量物を全て他の容器Ｃに対して分配（排出）する必要があるため、開口が上下反転する程度まで回転制御を行う。一方、計量結果が所定の重量範囲よりも多過ぎる場合には、被計量物の一部だけを他の容器Ｃに対して分配する必要があるため、容器Ｃが６０度傾く程度まで回転制御を行う。【０１３８】
このように、計量部１３における計量結果に基づいて容器Ｃの回転制御を行うことで、適切な量の被計量物を他の容器Ｃに対して分配することができる。【０１３９】
（１１）
本実施形態の組合せ計量装置１０では、被計量物を略鉛直平面内に沿って移動させて、近傍に配置された他の容器Ｃに対する分配等を行う。【０１４０】
これにより、容器Ｃを略鉛直方向に移動させる容器入替機構２０による駆動に伴って、被計量物を他の容器Ｃに対して分配することができる。【０１４１】
［他の実施形態］
以上、本発明の一実施形態について説明したが、本発明は上記実施形態に限定されるものではなく、発明の要旨を逸脱しない範囲で種々の変更が可能である。【０１４２】
（Ａ）
上記実施形態では、１つの組合せ計量装置１０によって形成される単一の循環ループに沿って容器Ｃを旋回移動させる組合せ計量装置を例として挙げて説明した。しかし、本発明はこれに限定されるものではない。【０１４３】
例えば、図１４〜図１７に示すように、図１に示すように複数の容器Ｃを循環するための循環ループを１つ形成する組合せ計量装置１０（組合せ計量装置１０ａ〜１０ｄ）を鉛直方向において複数段配置し、容器Ｃを上下方向に回転させる（図中塗りつぶした容器Ｃ参照）ことで、隣接する容器Ｃ間において被計量物の一部または全部を移し替えながら、組合せ計量を行う組合せ計量システム２００を構成するようにしてもよい。【０１４４】
この場合には、土台部２０１上に取り付けられた支柱２０２に対して固定された供給部２０３の先端部分から、組合せ計量装置１０ａにおいて循環する容器Ｃに対して被計量物を供給する。そして、組合せ計量装置１０ａでは、隣接する容器Ｃ間において被計量物の一部または全部を入れ替えながら、組合せ計量装置１０ａの下段に配置された組合せ計量装置１０ｂにおいて循環する容器Ｃに対して容器Ｃ内の被計量物を供給する。これを、組合せ計量装置１０ｂ，１０ｃ間、組合せ計量装置１０ｃ，１０ｄ間においても行った後、投入シュート２０４に対して組合せ計量された被計量物が投入される。【０１４５】
なお、このような多段構成の組合せ計量システム２００では、上述のように、１つの組合せ計量装置１０ａ〜１０ｄ内における隣接する容器Ｃ間および上下に配置された組合せ計量装置１０ａ〜１０ｄにおいて循環する容器Ｃ間において被計量物の一部または全部の入れ替えを行ってもよいし、上下の容器Ｃ間においてのみ被計量物の一部または全部の入れ替えを行うようにしてもよい。【０１４６】
さらに、図１８（ａ）および図１８（ｂ）に示すように、上記組合せ計量システム２００と同様の組合せ計量システム２１０を、製袋包装機２２０の上流側に搭載して製袋包装システム３００を構成してもよい。【０１４７】
この場合には、多段配置された各組合せ計量装置２１０ａ〜２１０ｄのそれぞれにおいて循環する容器Ｃ間において被計量物を入れ替えたり、下段側の組合せ計量装置２１０ａ〜２１０ｄに対して被計量物を排出するために排出シュート２１１に対して被計量物を排出したりする等して、下流側に配置された製袋包装機２２０に対して、組合せ計量された被計量物を排出することができる。【０１４８】
なお、上下に配置された組合せ計量装置２１０ａ〜２１０ｄ間における被計量物の受け渡しについては、図１８（ｂ）等に示すように、排出シュート２１１を介して行われるようにしてもよいし、容器Ｃ間で直接行うようにしてもよい。【０１４９】
（Ｂ）
上記実施形態では、図１等に示すように、計量部１３を搭載した組合せ計量装置１０を例として挙げて説明した。しかし、本発明はこれに限定されるものではない。【０１５０】
例えば、被計量物の計量を行う計量装置を搭載しておらず、上流側に別途配置された計量装置における計量結果を利用して組合せ計量を行う組合せ計量装置であってもよい。【０１５１】
この場合でも、複数の容器Ｃを搬送しながら計量を行い、組合せ計量の結果に基づいて選択された容器Ｃについては開口が下向きになるように上下反転させるだけで容易に被計量物を排出することができるとともに、回転動作を繰り返し行うことで組合せ計量において選択された被計量物の排出を連続して行うことができるという上記と同様の効果を得ることができる。【０１５２】
さらに、この場合でも、組合せ計量に参加できない容器Ｃが増えて、組合せ計量の効率を低下させることを回避することができるという上記と同様の効果を得ることができる。【０１５３】
（Ｃ）
上記実施形態では、本発明の組合せ計量装置を単独で使用する場合を例として挙げて説明した。しかし、本発明はこれに限定されるものではない。【０１５４】
例えば、図１３に示すように、複数の組合せ計量装置１０の下流側に、排出された被計量物を集合させる集合シュート１０１と、フィルムＦを用いて製袋した袋に被計量物を入れて梱包する製袋包装機１０２とを配置した製袋包装システム１００の一部として本発明の組合せ計量装置を用いてもよい。【０１５５】
この場合でも、複数の容器を旋回移動させながら計量〜排出までの処理を効率よく実施することができるという上記と同様の効果を得ることができる。【０１５６】
（Ｄ）
上記実施形態では、単一の循環ループに沿って容器Ｃを旋回移動させる組合せ計量装置を例として挙げて説明した。しかし、本発明はこれに限定されるものではない。【０１５７】
例えば、図１３に示すように、排出された被計量物を集合させる集合シュート１０１と、フィルムＦを用いて製袋した袋に被計量物を入れて梱包する製袋包装機１０２とを配置した製袋包装システム１００において、組合せ計量装置１０を上下に複数段設け、図１に示すような略水平面内に沿って容器Ｃを移動させる循環ループが上下方向に複数段重ねるように形成された構成であってもよい。【０１５８】
この場合には、上段に位置する循環ループに沿って旋回移動する容器Ｃを、下段に位置する循環ループに沿って旋回移動する容器Ｃ上において上下反転させることで、上段の容器Ｃから下段の容器Ｃに対する被計量物の供給、分配等を行うことができる。【０１５９】
また、図１３に示すように、複数の循環ループを形成して容器Ｃを搬送しながら、被計量物の計量、ストック、並び替え、分配および排出等を行う場合には、隣接する循環ループにおいて同じ方向において異なる搬送速度で容器Ｃを旋回移動させてもよい。【０１６０】
この場合には、上部の循環ループにおいて搬送される容器Ｃと下部の循環ループにおいて搬送される容器Ｃとが隣接する回数を増やすことができるため、さらに効率よく容器Ｃの順番の入れ替えや分配等の作業を実施することが可能になる。【０１６１】
（Ｅ）
上記実施形態では、図１０（ａ）〜図１０（ｄ）に示す被計量物の分配動作において、制御部５０によって選択される２つの容器Ｃが、投入元の容器Ｃと投入先の容器Ｃとが共に上記所定重量範囲外である例を挙げて説明した。しかし、本発明はこれに限定されるものではない。【０１６２】
例えば、いずれか一方の容器Ｃに貯留された被計量物が上記所定重量範囲外であり、他方の容器Ｃに貯留された被計量物が上記所定重量範囲内であってもよい。【０１６３】
例えば、投入元の容器Ｃ内の被計量物が上記所定重量範囲外である場合には、投入先となる容器Ｃにおいて貯留されている被計量物の重量を考慮して、上記所定重量範囲を超えない程度の投入量になるように容器Ｃの傾き量が制御される。【０１６４】
これにより、上記所定重量範囲内の被計量物と範囲外の被計量物とを組み合わせた場合でも、双方の被計量物が所定重量範囲内になるようにすることができる。【０１６５】
（Ｆ）
上記実施形態では、容器入替機構２０間において、容器Ｃを直接受け渡すのではなく、支持機構２４を介して容器Ｃの受け渡しを行う例を挙げて説明した。しかし、本発明はこれに限定されるものではない。【０１６６】
例えば、容器入替機構間において、支持機構を介すことなく、直接容器の受け渡しを行ってもよい。この場合でも、組合せ計量装置における被計量物の排出処理を効率よく行うことができるという上記と同様の効果を得ることができる。【０１６７】
（Ｇ）
上記実施形態では、容器Ｃを旋回移動させながら容器Ｃの順番の入れ替えや被計量物の分配、排出等の動作を行う例を挙げて説明した。しかし、本発明はこれに限定されるものではない。【０１６８】
例えば、直線状に容器Ｃを搬送する搬送部によって容器を搬送しながらその順番を上記実施形態と同様の構成を有する容器入替機構によって入れ替える構成であってもよい。【０１６９】
（Ｈ）
上記実施形態では、容器入替機構２０によって互いに隣接する２つの容器Ｃの順番を入れ替えたり、被計量物を分配したりする例を挙げて説明した。しかし、本発明はこれに限定されるものではない。【０１７０】
例えば、１個の容器を挟み込むように配置された２つの容器の順番を入れ替えるような構成であってもよい。ただし、この場合には、複数の容器を所望の順番に入れ替える制御が複雑になってしまうため、制御を簡略化するという面では、上記実施形態のように隣接する２つの容器の順番を入れ替える構成がより好ましい。【０１７１】
（Ｉ）
上記実施形態では、容器入替機構２０によって隣接する２つの容器Ｃの順番を入れ替えたり、被計量物を分配したりする例を挙げて説明した。しかし、本発明はこれに限定されるものではない。【０１７２】
例えば、隣接する４つの容器の順番を入れ替える容器入替機構であってもよい。ただし、この場合にも、複数の容器を所望の順番に入れ替える制御が複雑になってしまうため、制御を簡略化するという面では、上記実施形態のように２つの容器の順番を入れ替える構成がより好ましい。【０１７３】
（Ｊ）
上記実施形態では、搬送中の容器Ｃの順番を入れ替える容器入替機構２０が、容器Ｃの旋回軌道に沿って回転部１１（容器Ｃ）とともに移動する例を挙げて説明した。しかし、本発明はこれに限定されるものではない。【０１７４】
例えば、容器の移動が間欠移動である場合には、容器の搬送径路の側方における所定の位置に容器入替機構を固定配置してもよい。この場合には、間欠移動する容器が停止状態になる間に順番入替機構が容器に接触して保持し、順番入替を行えばよい。
【産業上の利用可能性】
【０１７５】
本発明の組合せ計量装置は、組合せ計量に参加不能な容器Ｃの数を減らして、組合せ計量の効率を向上させることができるとともに、下流側に配置された包装機等に対して特定の容器からの排出によって組合せ計量に参加した被計量物の排出を完了させることで処理を効率化できるという効果を奏することから、容器を用いて処理を行う各種装置に対して広く適用可能である。
【図１】
2007034655.tif 000002
【図２】
2007034655.tif 000003
【図３】
2007034655.tif 000004
【図４】
2007034655.tif 000005
【図５】
2007034655.tif 000006
【図６】
2007034655.tif 000007
【図７】
2007034655.tif 000008
【図８】
2007034655.tif 000009
【図９】
2007034655.tif 000010
【図１０】
2007034655.tif 000011
【図１１】
2007034655.tif 000012
【図１２】
2007034655.tif 000013
【図１３】
2007034655.tif 000014
【図１４】
2007034655.tif 000015
【図１５】
2007034655.tif 000016
【図１６】
2007034655.tif 000017
【図１７】
2007034655.tif 000018
【図１８】
2007034655.tif 000019
【国際調査報告】
2007034655.tif 000020
2007034655.tif 000021